(57)【要約】【課題】意匠性を向上させ、また異物侵入を防止することができる車両の天井用スピーカ装置を提供する。【解決手段】本装置１は、車両の天井部６に取り付けられる天井用スピーカ装置であって、スピーカ２と、スピーカの前面に対向して設けられる音反射板３と、音反射板を、天井部の天井面から車室内側に突出した使用状態Ｐ１と天井部に収納した収納状態Ｐ２との間で可動するように支持する支持構造４と、を備える。【選択図】図１
2011183905.tif 000002
【特許請求の範囲】
【請求項１】
車両の天井部に取り付けられる天井用スピーカ装置であって、
スピーカと、
前記スピーカの前面に対向して設けられる音反射板と、
前記音反射板を、前記天井部の天井面から車室内側に突出した使用状態と前記天井部に収納した収納状態との間で可動するように支持する支持構造と、を備えることを特徴とする車両の天井用スピーカ装置。
【請求項２】
前記支持構造は、前記天井部の天井基材を挟み込んで固定される上カバー及び下カバーを有し、該上カバー及び該下カバーのうちの少なくとも一方のカバーは、前記音反射板から立ち上がるガイド片を上下方向に案内するガイド部を有する請求項１記載の車両の天井用スピーカ装置。
【請求項３】
前記上カバーは、前記音反射板が前記使用状態にあるときに、前記ガイド片の先端側に設けられた係止爪が係止して該音反射板の下方への移動を規制する規制部を有し、
前記上カバー及び前記下カバーのうちの少なくとも一方のカバーは、前記音反射板が前記収納状態にあるときに、該音反射板に設けられた突起部を係脱可能に係止する係止機構を有する請求項２記載の車両の天井用スピーカ装置。
【請求項４】
前記上カバーは、前記天井部のルーフパネル側に固定される固定部を有する請求項１乃至３のいずれか一項に記載の車両の天井用スピーカ装置。
【請求項５】
前記固定部の上端側には、前記天井部のルーフパネル側に形成された孔部に圧入される固定用クリップが遊嵌されている請求項４記載の車両の天井用スピーカ装置。
【発明の詳細な説明】
【技術分野】
【０００１】
本発明は、車両の天井用スピーカ装置に関し、更に詳しくは、意匠性を向上させ、さらに異物侵入を防止することができる車両の天井用スピーカ装置に関する。
【背景技術】
【０００２】
従来より、車両の天井用スピーカ装置として、車両の天井部に取り付けられ、スピーカと、このスピーカの前面に対向して設けられスピーカからの音を周囲に拡散する音反射板と、を有するものが知られている（例えば、特許文献１の図７等参照）。
【先行技術文献】
【特許文献】
【０００３】
【特許文献１】実開平６−４５８６５号公報
【発明の概要】
【発明が解決しようとする課題】
【０００４】
しかし、上記特許文献１の技術では、天井用スピーカ装置が天井部の天井面から車室内側に突出して固定されているため、意匠性が損なわれてしまう。さらに、スピーカ装置の内部に埃等の異物が入ってしまう等の問題がある。
【０００５】
本発明は、上記現状に鑑みてなされたものであり、意匠性を向上させ、さらに異物侵入を防止することができる車両の天井用スピーカ装置を提供することを目的とする。
【課題を解決するための手段】
【０００６】
本発明は、以下の通りである。
１．車両の天井部に取り付けられる天井用スピーカ装置であって、
スピーカと、
前記スピーカの前面に対向して設けられる音反射板と、
前記音反射板を、前記天井部の天井面から車室内側に突出した使用状態と前記天井部に収納した収納状態との間で可動するように支持する支持構造と、を備えることを特徴とする車両の天井用スピーカ装置。
２．前記支持構造は、前記天井部の天井基材を挟み込んで固定される上カバー及び下カバーを有し、該上カバー及び該下カバーのうちの少なくとも一方のカバーは、前記音反射板から立ち上がるガイド片を上下方向に案内するガイド部を有する上記１．記載の車両の天井用スピーカ装置。
３．前記上カバーは、前記音反射板が前記使用状態にあるときに、前記ガイド片の先端側に設けられた係止爪が係止して該音反射板の下方への移動を規制する規制部を有し、
前記上カバー及び前記下カバーのうちの少なくとも一方のカバーは、前記音反射板が前記収納状態にあるときに、該音反射板に設けられた突起部を係脱可能に係止する係止機構を有する上記２．記載の車両の天井用スピーカ装置。
４．前記上カバーは、前記天井部のルーフパネル側に固定される固定部を有する上記１．乃至３．のいずれか一項に記載の車両の天井用スピーカ装置。
５．前記固定部の上端側には、前記天井部のルーフパネル側に形成された孔部に圧入される固定用クリップが遊嵌されている上記４．記載の車両の天井用スピーカ装置。
【発明の効果】
【０００７】
本発明の車両の天井用スピーカ装置によると、支持構造によって、音反射板は、天井部の天井面から車室内側に突出した使用状態と天井部に収納した収納状態との間で可動するように支持される。このように音反射板を使用状態と収納状態とに可動するようにしたので、音反射板を使用状態とすれば、スピーカからの音が音反射板で周囲に拡散されて室内空間全体を均一な音響空間とすることができる。また、音反射板を収納状態とすれば、意匠性を向上させることができる。さらに、異物侵入を防止することができる。
また、前記支持構造が上カバー及び下カバーを有し、該上カバー及び該下カバーのうちの少なくとも一方のカバーがガイド部を有する場合は、天井部の天井基材を挟み込んで強固に固定される上カバー及び下カバーのうちの少なくとも一方のカバーのガイド部によって、音反射板から立ち上がるガイド片が上下方向に案内される。そのため、音反射板を使用状態と収納状態との間でより円滑に可動させることができる。
また、前記上カバーが規制部を有し、上カバー及び下カバーのうちの少なくとも一方のカバーが係止機構を有する場合は、音反射板が使用状態にあるときに、音反射板のガイド片の先端側に設けられた係止爪が上カバーの規制部に係止されて音反射板の下方への移動が規制される。そのため、音反射板を使用状態に位置決めすることができる。また、音反射板が収納状態にあるときに、音反射板の突起部が少なくとも一方のカバーの係止機構に係脱自在に係止される。そのため、音反射板を収納状態に位置保持することができる。
また、前記上カバーが固定部を有する場合は、上カバーの固定部が天井部のルーフパネル側に固定される。これにより、音反射板を使用状態と収納状態との間で可動させるときに、天井部の天井基材が撓んでしまったり、天井用スピーカ装置の構成部品がガタついてしまったりすることを防止できる。
さらに、前記固定部の上端側に固定用クリップが遊嵌されている場合は、上カバーの固定用クリップが天井部のルーフパネル側に形成された孔部に圧入される。このように固定用クリップが遊嵌されていることで、固定用クリップをルーフパネル側の孔部により円滑に圧入させることができる。そのため、上カバーひいては天井用スピーカ装置の取付け作業性を向上させることができる。特に、車両の製造時において、上カバー及び下カバーを組み付けてなる天井基材をルーフパネルに取り付ける場合には、固定用クリップをルーフパネル側の孔部に極めて円滑に圧入させることができ、取付作業性を向上させることができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る天井用スピーカ装置の側面図であり、（Ａ）は音反射板の使用状態を示し、（Ｂ）は音反射板の収容状態を示す。
【図２】上記天井用スピーカ装置の分解側面図である。
【図３】上記天井用スピーカ装置の分解斜視図である。
【図４】実施例に係る固定部及び固定用クリップを説明するための説明図である。
【図５】上記天井用スピーカ装置を自動車の天井部に取り付けた状態を示す模式図である。
【図６】実施例に係る上カバーの他の形態を示す斜視図である。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．車両の天井用スピーカ装置
本実施形態１．に係る天井用スピーカ装置は、車両の天井部に取り付けられる天井用スピーカ装置であって、スピーカと、スピーカの前面に対向して設けられる音反射板と、音反射板を、天井部の天井面から車室内側に突出した使用状態（Ｐ１）と天井部に収納した収納状態（Ｐ２）との間で可動するように支持する支持構造と、を備えることを特徴とする（例えば、図１（Ａ）（Ｂ）等参照）。上記天井部は、通常、ルーフパネルと、このルーフパネルの車室内側の面に対向して設けられる天井基材と、を有している。
【００１１】
本実施形態１．の天井用スピーカ装置としては、例えば、上記支持構造は、天井部の天井基材を挟み込んで固定される上カバー及び下カバーを有し、上カバー及び下カバーのうちの少なくとも一方のカバーは、音反射板から立ち上がるガイド片を上下方向に案内するガイド部（１６，１７）を有する形態を挙げることができる（例えば、図３等参照）。上記上カバーには、例えば、車室内側を向くようにスピーカが固定されることができる。また、上記下カバーには、例えば、音反射板を収納する凹状の収納部が設けられていることができる。
【００１２】
上述の形態の場合、例えば、上カバーは、音反射板が使用状態にあるときに、ガイド片の先端側に設けられた係止爪が係止して音反射板の下方への移動を規制する規制部（３３）を有し、上カバー及び下カバーのうちの少なくとも一方のカバーは、音反射板が収納状態にあるときに、音反射板に設けられた突起部を係脱可能に係止する係止機構（３５）を有することができる（例えば、図１（Ａ）（Ｂ）等参照）。
【００１３】
上記規制部は、上記係止爪が係止した状態で音反射板の上方への移動を規制しないことが好ましい。使用状態の音反射板は、上向きの力が加わっても上方へ移動するので、音反射板を容易に収納状態にすることができるためである。また、上記係止機構は、例えば、音反射板を押し上げて突起部で押圧することにより突起部を係止し、その係止状態で音反射板を押し上げて突起部で押圧することにより突起部の係止を解除するプッシュラッチであることができる。これにより、係止機構ひいてはスピーカ装置を簡易且つ安価な構造とすることができる。
【００１４】
本実施形態１．の天井用スピーカ装置としては、例えば、上カバーは、天井部のルーフパネル側に固定される固定部（１９）を有する形態を挙げることができる（例えば、図１（Ａ）（Ｂ）等参照）。なお、上記「ルーフパネル側に固定」される形態としては、例えば、（１）ルーフパネルに直接的に固定される形態、（２）ルーフパネルに取り付けられた支持ブラケットに固定される形態等のうちの１種又は２種以上の組み合わせを挙げることができる。
【００１５】
上述の形態の場合、例えば、固定部の上端側には、天井部のルーフパネル側に形成された孔部に圧入される固定用クリップ（２１）が遊嵌されていることができる（例えば、図４等参照）。なお、上記「ルーフパネル側に形成」される形態としては、例えば、（１）ルーフパネルに直接的に形成される形態、（２）ルーフパネルに取り付けられた支持ブラケットに形成される形態等のうちの１種又は２種以上の組み合わせを挙げることができる。また、上記「遊嵌」とは、固定部の上端部に固定用クリップが水平方向に遊び（例えば、２．５〜３．０ｍｍ等）をもって嵌合される状態を意図する。
【実施例】
【００１６】
以下、図面を用いて実施例により本発明を具体的に説明する。なお、本実施例では、天井用スピーカ装置として、図５に示すように、車両の天井部６の中央側に設置される天井用スピーカ装置１を例示する。
【００１７】
（１）天井用スピーカ装置の構成
本実施例に係る天井用スピーカ装置１は、図１〜図３に示すように、スピーカ２と、このスピーカ２の前面２ａ（音発生部）に対向して設けられる円板状で樹脂製の音反射板３と、この音反射板３を使用状態Ｐ１及び収納状態Ｐ２に可動するように支持する支持構造４と、を備えている。
【００１８】
上記天井部６は、金属製のルーフパネル６ａと、このルーフパネル６ａの車室内側の面に対向して設けられる樹脂製の天井基材６ｂとを有している（図５参照）。この天井基材６ｂの中央側には、スピーカ取付孔３１が形成されている。
【００１９】
上記音反射板３の上面中央側には円錐部１１が形成されている。また、音反射板３の上面には、円錐部１１の周囲側で上方に立ち上がる複数（図３中で４つ）の支柱状のガイド片１２と、後述するプッシュラッチにより係止される突起部１４とが形成されている。これら各ガイド片１２の先端側には、音反射板３の遠心方向に突出し後述する規制部に係止する係止爪１３が形成されている。
【００２０】
上記支持構造４は、天井基材６ｂのスピーカ取付孔３１の周縁側を挟み込んでボルト７で固定される円環状の上カバー９及び下カバー８を有している。この上カバー９及び下カバー８のそれぞれには、音反射板３の各ガイド片１２を上下方向に案内する複数のガイド部１６，１７が形成されている。また、上カバー９には、その前面２ａが車室内側を向くようにスピーカ２が固定されている。また、下カバー８には、音反射板３を収納する凹状の収納部１８が形成されている。
【００２１】
上記上カバー９のガイド部１７の近傍の上面側は、音反射板３が使用状態Ｐ１にあるときに、ガイド片１２の先端側の係止爪１３が係止して音反射板３の下方への移動を規制する規制部３３とされている。この規制部３３は、係止爪１３が係止した状態で音反射板３の上方への移動を規制していない。そのため、使用状態Ｐ１の音反射板３は、上向きの力が加わっても上方へ移動することとなり、音反射板３を容易に収納状態Ｐ２にすることができる。
【００２２】
上記下カバー８には、音反射板３が収納状態Ｐ２にあるときに、音反射板３の突起部１４を係脱可能に係止する公知のプッシュラッチ３５（本発明に係る「係止機構」として例示する。）が取り付けられている。このプッシュラッチ３５は、音反射板３を押し上げて突起部１４で押圧することにより突起部１４を係止し、この係止状態で音反射板３を押し上げて突起部１４で押圧することにより突起部１４の係止を解除するように構成されている。
【００２３】
また、上カバー９の上面周縁側には、ルーフパネル６ａに取り付けられた円板状の支持ブラケット２４に固定される複数（図３中で４つ）の支柱状の固定部１９が立ち上げられている。これら各固定部１９の上端側にはクリップ取付孔２０が形成され、このクリップ取付孔２０には樹脂製の固定用クリップ２１が遊嵌されている。この固定用クリップ２１は、図４に示すように、抜け止めの上下のフランジを有する基部２２と、この基部２２の上側の略円錐形状の先端部２３と、を有している。この基部２２は、クリップ取付孔２０の支持孔２０ａに水平方向に適当な遊び（例えば、約２．５ｍｍ等）をもって嵌められている。この先端部２３は、支持ブラケット２４に形成された貫通孔状の孔部２５内に圧入される。
【００２４】
（２）天井用スピーカ装置の組付方法及び作用
次に、上記構成の天井用スピーカ装置１の組付方法について説明する。先ず、天井基材６ｂのスピーカ取付穴３１の周縁側を下カバー８と上カバー９とで挟み込み、両カバー８，９をボルト７でねじ止めする。そして、上カバー９の上側にスピーカ２をボルト１０でねじ止めする。さらに、音反射板３のガイド片１２を両カバー８，９の各ガイド部１５，１７に弾性変形を伴って挿通させて、音反射板３を下カバー８の下側に取り付ける。そして、上カバー９の固定部１９のクリップ取付孔２０に固定用クリップ２１の基部２２を遊嵌する。
【００２５】
次いで、上述のように天井用スピーカ装置１の構成部品が組み付けられた天井基材６ｂをルーフパネル６ａの車室内側面に対向させて、ルーフパネル６ａの支持ブラケット２４の孔部２５に固定用クリップ２１の先端部２３を圧入して両者を一体化する。この固定用クリップ２１の圧入時には、支持ブラケット２４の孔部２５に対して固定用クリップ２１が正確に位置合わせされていなくても、固定用クリップ２１は、遊嵌されていることで水平方向の位置をずらして孔部２５に円滑に圧入される。
【００２６】
次に、上記構成の天井用スピーカ装置１の作用について説明する。音反射板３が最下方に位置して使用状態Ｐ１にあるときには、スピーカ２から発生された音は、天井基材６ｂのスピーカ取付穴３１を通って音反射板３にぶつかり、円錐部１１で水平全周方向に拡散され、音反射板３と天井基材６ｂとの隙間から車室内に放出される。
【００２７】
次いで、音反射板３を収納状態Ｐ２とする際には、使用状態Ｐ１の音反射板３を下方から押し上げる。これにより、音反射板３のガイド片１２が各カバー８，９のガイド部１６，１７に案内され、音反射板３が下カバー８の収納部１８内に収納される。このとき、音反射板３の突起部１４がプッシュラッチ３５を押圧してロックされ、音反射板３は収納状態Ｐ２（図１（Ｂ）参照）に位置保持される。
【００２８】
その後、音反射板３を使用状態Ｐ１とする際には、収納状態Ｐ２の音反射板３を上方に押し込む。これにより、音反射板３の突起部１４がプッシュラッチ３５を押圧してロックが解除される。すると、音反射板３は最下位置まで下がって音反射板３の係止爪１３が上カバー９の規制部３３に係止して、音反射板３は使用状態Ｐ１に位置決めされる。
【００２９】
（３）実施例の効果
以上より、本実施例の天井用スピーカ装置１によると、支持構造４によって、音反射板３は、天井基材６ｂの天井面から車室内側に突出した使用状態Ｐ１と天井部６に収納した収納状態Ｐ２との間で可動するように支持される。このように音反射板３を使用状態Ｐ１と収納状態Ｐ２とに可動するようにしたので、音反射板３を使用状態Ｐ１とすれば、スピーカ２からの音が音反射板３で周囲に拡散されて室内空間全体を均一な音響空間とすることができる。また、音反射板３を収納状態Ｐ２とすれば、意匠性を向上させることができる。さらに、異物侵入を防止することができる。
【００３０】
また、本実施例では、支持構造４を上カバー９及び下カバー８を有して構成し、これら上カバー９及び下カバー８にガイド部１７，１６を設けるようにしたので、天井部６の天井基材６ｂを挟み込んで強固に固定される両カバー８，９のガイド部１６，１７によって、音反射板３から立ち上がるガイド片１２が上下方向に案内される。そのため、音反射板３を使用状態Ｐ１と収納状態Ｐ２との間でより円滑に可動させることができる。
【００３１】
また、本実施例では、上カバー９に規制部３３を設け、下カバー８にプッシュラッチ３５を設けるようにしたので、音反射板３が使用状態Ｐ１にあるときに、音反射板３のガイド片１２の先端側に設けられた係止爪１３が上カバー９の規制部３３に係止されて音反射板３の下方への移動が規制される。そのため、音反射板３を使用状態Ｐ１に位置決めすることができる。また、音反射板３が収納状態Ｐ２にあるときに、音反射板３の突起部１４が下カバー８のプッシュラッチ３５に係脱自在に係止される。そのため、音反射板３を収納状態Ｐ２に位置保持することができる。
【００３２】
また、本実施例では、上カバー９に固定部１９を設けるようにしたので、上カバー９の固定部１９が天井部６のルーフパネル６ａに取り付けられた支持ブラケット２４に固定される。これにより、音反射板３を使用状態Ｐ１と収納状態Ｐ２との間で可動させるときに、天井部６の天井基材６ｂが撓んでしまったり、天井用スピーカ装置１の構成部品がガタついてしまったりすることを防止できる。
【００３３】
また、本実施例では、固定部１９の上端側に固定用クリップ２１を遊嵌するようにしたので、上カバー９の固定用クリップ２１が天井部６のルーフパネル６ａに取り付けられた支持ブラケット２４に形成された孔部２５に圧入される。このように固定用クリップ２１が遊嵌されていることで、固定用クリップ２１を孔部２５により円滑に圧入させることができる。そのため、上カバー９ひいては天井用スピーカ装置１の取付け作業性を向上させることができる。特に、車両の製造時において、上カバー９及び下カバー８を組み付けてなる天井基材６ｂをルーフパネル６ａに取り付ける場合には、固定用クリップ２１を孔部２５に極めて円滑に圧入させることができ、取付作業性を向上させることができる。
【００３４】
さらに、本実施例では、天井用スピーカ装置１を天井部６に配置したことにより、従来のようにドア等のみに配置される場合に比べて車室内での音の広がりをより効果的に実現することができる。例えば、４ドア車において、従来は各ドアに合計４個のスピーカを設けていたものを、各前ドア及び天井部６の合計３個のスピーカを設けることで従来と同等以上の音響空間を実現することが可能になり、部品点数の削減を図ることができる。
【００３５】
尚、本発明においては、上記実施例に限られず、目的、用途に応じて本発明の範囲内で種々変更した実施例とすることができる。即ち、上記実施例では、上カバー９の周縁側に４つの固定部１９を配置するようにしたが、これに限定されず、例えば、上カバー９の周縁側に３つ又は２つの固定部１９を円周方向に均等な間隔又は不等な間隔で配置したり、上カバー９の周縁側に５つ以上の固定部１９を円周方向に均等な間隔又は不等な間隔で配置したりしてもよい。さらに、例えば、図６に示すように、上カバーの周縁側に円筒状の固定部１９’を設け、この固定部１９’の上端側に形成されたフランジ３７の一部にクリップ取付孔２０を形成するようにしてもよい。
【００３６】
また、上記実施例では、係止機構としてプッシュラッチ３５を例示したが、これに限定されず、例えば、磁力を利用して突起部１４を係脱自在に係止する係止機構等を採用してもよい。
【００３７】
また、上記実施例では、下カバー８にプッシュラッチ３５を設ける形態を例示したが、これに限定されず、例えば、下カバー８に替えて又は加えて、上カバー９にプッシュラッチ３５を設けるようにしてもよい。さらに、上記実施例では、下カバー８及び上カバー９にガイド部１６，１７を設けるようにしたが、これに限定されず、例えば、下カバー８及び上カバー９のうちの一方のカバーのみにガイド部を設けるようにしてもよい。
【００３８】
さらに、上記実施例では、手動操作により音反射板３を使用状態Ｐ１と収納状態Ｐ２との間で変位させるようにしたが、これに限定されず、例えば、モータ、シリンダ等の駆動源の作動により音反射板３を使用状態Ｐ１と収納状態Ｐ２との間で変位させるようにしてもよい。
【００３９】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。
【００４０】
本発明は上記で詳述した実施形態に限定されず、本発明の請求項に示した範囲で様々な変形または変更が可能である。
【産業上の利用可能性】
【００４１】
乗用車、バス、トラック等の他、列車、汽車等の鉄道車両、建設車両、農業車両、産業車両などの車両の天井用スピーカ装置に関する技術として広く利用される。
【符号の説明】
【００４２】
１；天井用スピーカ装置、２；スピーカ、２ａ；前面、３；音反射板、４；支持構造、５；車両、６；天井部、６ａ；ルーフパネル、６ｂ；天井基材、８；下カバー、９；上カバー、１２；ガイド片、１３；係止爪、１４；突起部、１６；ガイド部、１７；ガイド部、１９，１９’；固定部、２１；固定用クリップ、２４；支持ブラケット、２５；孔部、３３；規制部、３５；プッシュラッチ、Ｐ１；使用状態、Ｐ２；収納状態。
【図１】
2011183905.tif 000003
【図２】
2011183905.tif 000004
【図３】
2011183905.tif 000005
【図４】
2011183905.tif 000006
【図５】
2011183905.tif 000007
【図６】
2011183905.tif 000008